(57)【要約】【課題】レーザ光の光量の変動に強く、感光体への書き込み開始タイミングを調整するための同期信号を精度良く得る。【解決手段】レーザ光を出射する光源部と、光源部から出射されるレーザ光を反射して偏向させる偏向体と、偏向体で偏向されたレーザ光を感光体表面上に等速度で走査させる走査レンズと、走査レンズを透過したレーザ光のうち、感光体の外部に向けて偏向されたレーザ光を反射する反射面を表面に備える反射体と、反射体によって反射されたレーザ光を受光して、当該受光を示す検出信号を出力する同期センサと、を備え、反射体は、反射面で反射したレーザ光の同期センサの受光面におけるレーザ光の走査方向である主走査方向の走査速度が、当該レーザ光の同期センサの受光面における主走査方向の走査距離を同期センサの応答遅延時間で除算した結果よりも大きくなるように配置される光走査装置。【選択図】図２
2012118214.tif 000002
【特許請求の範囲】
【請求項１】
レーザ光を出射する光源部と、
前記光源部から出射される前記レーザ光を反射して偏向させる偏向体と、
前記偏向体で偏向された前記レーザ光を感光体表面上に等速度で走査させる走査レンズと、
前記走査レンズを透過した前記レーザ光のうち、前記感光体の外部に向けて偏向された前記レーザ光を反射する反射面を表面に備える反射体と、
前記反射体によって反射された前記レーザ光を受光して、当該受光を示す検出信号を出力する同期センサと、
を備え、
前記反射体は、前記反射面で反射した前記レーザ光の前記同期センサの受光面における前記レーザ光の走査方向である主走査方向の走査速度が、当該レーザ光の前記同期センサの受光面における前記主走査方向の走査距離を前記同期センサの応答遅延時間で除算した結果よりも大きくなるように配置される光走査装置。
【請求項２】
前記反射体によって反射された前記レーザ光が入射され、当該入射された前記レーザ光を前記主走査方向と直交する副走査方向に集光して前記同期センサに向けて出射する集光レンズを更に備え、
前記集光レンズは、
前記偏向体で反射された前記レーザ光が前記走査レンズに対して前記副走査方向に所定ずれ量ずらして入射され、前記走査レンズ、前記反射体及び前記集光レンズを介して、前記同期センサの受光面に当該レーザ光が入射される際の前記副走査方向のずれ量を前記所定ずれ量で除算した結果である第一副走査倍率が、
前記偏向体で反射された前記レーザ光が前記走査レンズに対して前記副走査方向に前記所定ずれ量ずらして入射され、当該レーザ光が前記走査レンズから出射される際の前記副走査方向のずれ量を前記所定ずれ量で除算した結果である第二副走査倍率よりも小さくなるように、前記レーザ光を前記副走査方向に集光させる請求項１に記載の光走査装置。
【請求項３】
レーザ光を出射する光源部と、
前記光源部から出射される前記レーザ光を反射して偏向させる偏向体と、
前記偏向体で偏向された前記レーザ光を感光体表面上に等速度で走査させる走査レンズと、
前記走査レンズを透過した前記レーザ光のうち、前記感光体の外部に向けて偏向された前記レーザ光を反射する反射面を表面に備える反射体と、
前記反射体によって反射された前記レーザ光を受光して、当該受光を示す検出信号を出力する同期センサと、
前記反射体によって反射された前記レーザ光が入射され、当該入射された前記レーザ光を前記主走査方向と直交する副走査方向に集光して前記同期センサに向けて出射する集光レンズと、
を備え、
前記集光レンズは、
前記偏向体で反射された前記レーザ光が前記走査レンズに対して前記副走査方向に所定ずれ量ずらして入射され、前記走査レンズ、前記反射体及び前記集光レンズを介して、前記同期センサの受光面に当該レーザ光が入射される際の前記副走査方向のずれ量を前記所定ずれ量で除算した結果である第一副走査倍率が、
前記偏向体で反射された前記レーザ光が前記走査レンズに対して前記副走査方向に前記所定ずれ量ずらして入射され、当該レーザ光が前記走査レンズから出射される際の前記副走査方向のずれ量を前記所定ずれ量で除算した結果である第二副走査倍率よりも小さくなるように、前記レーザ光を前記副走査方向に集光させる光走査装置。
【請求項４】
請求項１から３の何れかに記載の光走査装置を備えた画像形成装置。
【発明の詳細な説明】
【技術分野】
【０００１】
本発明は、レーザ光を所定方向に偏向させて感光体の表面を走査させる光走査装置、及びこれを用いた画像形成装置に関する。
【背景技術】
【０００２】
従来から、レーザプリンタや複写機等に用いられる光走査装置において、光源から射出されたレーザ光束をポリゴンミラーの回転によって偏向走査し、結像レンズを介してレーザ光束の一部が折返しミラーによって反射され、ＢＤ（Beam Detect）センサの受光面に入射したときにＢＤセンサから出力される検出信号に基づいて、感光体上への書き込み開始タイミングを決定する技術が知られている。
【０００３】
例えば、下記特許文献１では、ＢＤセンサ直前に主走査方向にパワーを有したシリンドリカルレンズを配置することにより、ポリゴンミラーからＢＤセンサまでの距離を短くして、装置の小型化が図られている。
【先行技術文献】
【特許文献】
【０００４】
【特許文献１】特開平８−２２０４５７号公報
【発明の概要】
【発明が解決しようとする課題】
【０００５】
しかし、上記特許文献１では、シリンドリカルレンズにレーザ光を主走査方向に集光させるパワーを持たせているため、当該シリンドリカルレンズを介さない場合に比して、ＢＤセンサに入射するレーザ光の走査速度が遅くなり、当該レーザ光の光量に相当する電荷がＢＤセンサに蓄積される速度が遅くなる。
【０００６】
そして、このようにＢＤセンサの立ち上がりが鈍い状況において、ポリゴンミラーの反射面の汚染やレーザ光源による光量変動等によってレーザ光の光量が変動すると、レーザ光の光量に相当する電荷がＢＤセンサに所定量蓄積された際に出力される検出信号の出力時期も変動することとなり、感光体への書き込み開始タイミングが著しくばらつくという問題があった。
【０００７】
そこで、本発明は、このような事情に鑑みてなされたものであり、レーザ光の光量の変動に強く、感光体への書き込み開始タイミングを調整するための同期信号を精度良く得ることができる光走査装置及び画像形成装置を提供することを目的とする。
【課題を解決するための手段】
【０００８】
請求項１に記載の発明は、レーザ光を出射する光源部と、
前記光源部から出射される前記レーザ光を反射して偏向させる偏向体と、
前記偏向体で偏向された前記レーザ光を感光体表面上に等速度で走査させる走査レンズと、
前記走査レンズを透過した前記レーザ光のうち、前記感光体の外部に向けて偏向された前記レーザ光を反射する反射面を表面に備える反射体と、
前記反射体によって反射された前記レーザ光を受光して、当該受光を示す検出信号を出力する同期センサと、
を備え、
前記反射体は、前記反射面で反射した前記レーザ光の前記同期センサの受光面における前記レーザ光の走査方向である主走査方向の走査速度が、当該レーザ光の前記同期センサの受光面における前記主走査方向の走査距離を前記同期センサの応答遅延時間で除算した結果よりも大きくなるように配置される光走査装置である。
【０００９】
この発明では、反射面で反射したレーザ光の同期センサの受光面におけるレーザ光の主走査方向の走査速度が、当該レーザ光の同期センサの受光面における主走査方向の走査距離を同期センサの応答遅延時間で除算した結果よりも大きく設定されるので、応答遅延時間内に反射面で反射したレーザ光の同期センサへの入射が完了する。そして、応答遅延時間の経過時点で、当該入射されたレーザ光の光量に相当する電荷が所定量蓄積されたことを示す検出信号が同期センサから出力される。
【００１０】
このため、例えば、ポリゴンミラーの反射面の汚染やレーザ光源による光量変動等によって反射面で反射したレーザ光の光量が変動した場合であっても、同期センサから応答遅延時間の経過時点で検出信号が出力されるため、同期センサの検出信号の出力時期にばらつきが生じることがなくなり、感光体への書き込み開始タイミングを調整するための同期信号を精度良く得ることができる。
【００１１】
また、請求項２に記載の発明は、請求項１に記載の光走査装置であって、前記反射体によって反射された前記レーザ光が入射され、当該入射された前記レーザ光を前記主走査方向と直交する副走査方向に集光して前記同期センサに向けて出射する集光レンズを更に備え、
前記集光レンズは、
前記偏向体で反射された前記レーザ光が前記走査レンズに対して前記副走査方向に所定ずれ量ずらして入射され、前記走査レンズ、前記反射体及び前記集光レンズを介して、前記同期センサの受光面に当該レーザ光が入射される際の前記副走査方向のずれ量を前記所定ずれ量で除算した結果である第一副走査倍率が、
前記偏向体で反射された前記レーザ光が前記走査レンズに対して前記副走査方向に前記所定ずれ量ずらして入射され、当該レーザ光が前記走査レンズから出射される際の前記副走査方向のずれ量を前記所定ずれ量で除算した結果である第二副走査倍率よりも小さくなるように、前記レーザ光を前記副走査方向に集光させる。
【００１２】
また、請求項３に記載の発明は、レーザ光を出射する光源部と、
前記光源部から出射される前記レーザ光を反射して偏向させる偏向体と、
前記偏向体で偏向された前記レーザ光を感光体表面上に等速度で走査させる走査レンズと、
前記走査レンズを透過した前記レーザ光のうち、前記感光体の外部に向けて偏向された前記レーザ光を反射する反射面を表面に備える反射体と、
前記反射体によって反射された前記レーザ光を受光して、当該受光を示す検出信号を出力する同期センサと、
前記反射体によって反射された前記レーザ光が入射され、当該入射された前記レーザ光を前記主走査方向と直交する副走査方向に集光して前記同期センサに向けて出射する集光レンズと、
を備え、
前記集光レンズは、
前記偏向体で反射された前記レーザ光が前記走査レンズに対して前記副走査方向に所定ずれ量ずらして入射され、前記走査レンズ、前記反射体及び前記集光レンズを介して、前記同期センサの受光面に当該レーザ光が入射される際の前記副走査方向のずれ量を前記所定ずれ量で除算した結果である第一副走査倍率が、
前記偏向体で反射された前記レーザ光が前記走査レンズに対して前記副走査方向に前記所定ずれ量ずらして入射され、当該レーザ光が前記走査レンズから出射される際の前記副走査方向のずれ量を前記所定ずれ量で除算した結果である第二副走査倍率よりも小さくなるように、前記レーザ光を前記副走査方向に集光させる光走査装置である。
【００１３】
これらの発明では、偏向体で反射されたレーザ光が副走査方向に所定ずれ量ばらつき、当該レーザ光が走査レンズを介することによって所定ずれ量の第二副走査倍率の倍数に相当する分副走査方向にばらついた場合であっても、当該レーザ光が反射体で反射され、集光レンズを介して同期センサの受光面に入射される際には、当該レーザ光の副走査方向のばらつきは、所定ずれ量の第一副走査倍率の倍数に相当する分にまで軽減される。
【００１４】
つまり、偏向体に入射されたレーザ光が副走査方向に所定ずれ量ばらついて反射された場合であっても、同期センサに入射されるレーザ光の副走査方向のばらつきは、反射体に入射されるレーザ光の副走査方向のばらつきよりも軽減される。したがって、偏向体に入射されたレーザ光が副走査方向にばらつくように反射される場合に備えて、反射体や同期センサを副走査方向に傾けて調整する手間を軽減することができる。
【００１５】
また、請求項４に記載の発明は、請求項１から３の何れかに記載の光走査装置を備えた画像形成装置である。
【００１６】
この発明では、画像形成装置において、請求項１から３の何れかに記載の発明における効果を奏することができる。
【発明の効果】
【００１７】
本発明によれば、レーザ光の光量の変動に強く、感光体への書き込み開始タイミングを調整するための同期信号を精度良く得ることができる光走査装置及び画像形成装置を提供することが可能になる。
【図面の簡単な説明】
【００１８】
【図１】本発明の一実施形態に係る画像形成装置としてのプリンタの機械的構成の一例を示す断面図。
【図２】レーザスキャナの機械的構成の一例を示す構成図。
【図３】プリンタの電気的な構成を示すブロック図。
【図４】反射体で反射されたレーザ光が同期センサで受光される一例を示す説明図。
【図５】同期センサで受光されるレーザ光の蓄積光量と、同期センサから出力される検出信号と、時間との関係の一例を示す説明図。
【図６】レーザ光が偏向体で反射されてから同期センサで受光されるまでに副走査方向にずれる一態様を示す説明図。
【発明を実施するための形態】
【００１９】
以下、本発明に係る画像形成装置の一実施の形態を図面に基づいて説明する。図１に示すように、プリンタ１は、レーザスキャナ１１、現像器１２、帯電器１３、感光体ドラム１４、転写ローラ１５及び定着器１６を備えて構成される。
【００２０】
本発明に係る感光体としての感光体ドラム１４は、円筒状の部材であり、図略のモータからの駆動力を受けて、図１における時計回りの方向に回転される。帯電器１３は、感光体ドラム１４の表面を略一様に帯電する。
【００２１】
本発明に係る光走査装置としてのレーザスキャナ１１は、レーザダイオード等の光源を備え、帯電器１３によって略一様に帯電された感光体ドラム１４の表面に対して、画像データに応じた光信号を照射して、画像データの静電潜像を形成する。
【００２２】
尚、画像データは、プリンタ１に接続されたＰＣ（パーソナルコンピュータ）等によって送信されたものを当該プリンタ１が受信したものである。また、レーザスキャナ１１の詳細については図２を用いて後述する。
【００２３】
現像器１２は、トナーを収納するトナーコンテナを備え、静電潜像が形成された感光体ドラム１４の表面にトナーを供給してトナー像を形成する。感光体ドラム１４に形成されたトナー像が、後述する転写ローラ１５によって、搬送路Ｐを搬送される記録紙又は転写ベルト（図示省略）に転写される。
【００２４】
感光体ドラム１４と対向する位置には、転写ローラ１５が配設されている。転写ローラ１５は、導電性を有するゴム材料等で構成され、感光体ドラム１４に形成されたトナー像を搬送路Ｐを搬送される記録紙又は転写ベルトに転写する。
【００２５】
定着器１６は、ヒータ等を内蔵する定着ローラ１６０及び定着ローラ１６０と対向する位置に設けられた加圧ローラ１６１を備え、トナー像が形成された記録紙を加熱搬送することにより、記録紙に形成されたトナー像を定着させる。
【００２６】
次に、プリンタ１の画像形成動作について簡単に説明する。先ず、帯電器１３により感光体ドラム１４の表面が略均一に帯電される。そして、帯電された感光体ドラム１４表面が、レーザスキャナ１１により露光され、記録紙に形成する画像の静電潜像が感光体ドラム１４の表面に形成される。この静電潜像が、現像器１２により感光体ドラム１４の表面にトナーを付着させることにより顕画化され、転写ローラ１５により感光体ドラム１４の表面のトナー像が記録紙に転写される。この動作が行われた後、定着器１６により記録紙に転写されたトナー像が固着される。
【００２７】
図２に示すように、レーザスキャナ１１は、本発明に係る光源部としての半導体レーザ１０１、コリメータレンズ１０２、絞り１０３、本発明に係る偏向体としての回転多面鏡１０４、走査レンズ１０５ａ，１０５ｂ（以下、走査レンズ１０５ａ，１０５ｂを総称する場合は、走査レンズ群１０５と記す）、本発明に係る反射体としての反射ミラー１０６、本発明に係る集光レンズとしてのシリンダーレンズ１０７、及び本発明に係る同期センサとしてのＢＤ（Beam Detect）センサ１０８を備えて構成される。
【００２８】
半導体レーザ１０１は、所定の波長のレーザ光を出射する。コリメータレンズ１０２及び絞り１０３は、共同で半導体レーザ１０１から発生されたレーザ光をほぼ平行光にする。回転多面鏡１０４は、コリメータレンズ１０２及び絞り１０３を介して入射されたレーザ光を反射するミラーを周面に複数備え、後述するポリゴンモータにより供給される駆動力で図中の矢印方向に等速度で回転するように構成されている。各ミラーでは、回転に伴って入射されたレーザ光が連続的に角度を変える偏向ビームとなって、感光体ドラム１４に向けて反射される。
【００２９】
走査レンズ群１０５は、回転多面鏡１０４によって反射された偏向ビームとなったレーザ光を集光して、走査レンズ１０５ａ及び走査レンズ１０５ｂ共同で、感光体ドラム１４に対して主走査方向（図中のＡ方向）に等速度で水平走査させる。
【００３０】
反射ミラー１０６は、主走査方向の両端から中心に向かうにつれて凹み度合いが大きくなる円弧状の曲面、所謂、アナモルフィック非球面の反射面を表面に備え、走査レンズ１０５ａを透過したレーザ光のうち、感光体ドラム１４の外部に向けて偏向されたレーザ光をＢＤセンサ１０８に向けて反射する。尚、当該反射ミラー１０６の構成の詳細については後述する。
【００３１】
シリンダーレンズ１０７は、反射ミラー１０６によって反射されたレーザ光を、感光体ドラム１４表面上に走査させる主走査方向（図中、Ａ方向）と直交する副走査方向（図中、Ｂ方向）に集光させる。
【００３２】
ＢＤセンサ１０８は、レーザ光による感光体ドラム１４に対する水平走査を開始させるタイミングである、半導体レーザ１０１からのレーザ光の出射タイミングと、回転多面鏡１０４の回転との同期を取るために用いられる。
【００３３】
具体的には、ＢＤセンサ１０８は、回転多面鏡１０４によって反射されたレーザ光を反射ミラー１０６及びシリンダーレンズ１０７を介して受光し、受光したレーザ光の光量に相当する電荷を所定量蓄積した時点で当該受光したことを示す検出信号を出力する。ＢＤセンサ１０８によって出力された検出信号は、回転多面鏡１０４の回転と画像データの書き出しタイミング、つまり、矢印Ａ方向の書き出しの同期を取るために用いられる。
【００３４】
尚、ＢＤセンサ１０８は、受光したレーザ光の光量に相当する電荷を蓄積する光電変換処理を行うためにセンサ固有の応答遅延時間と呼ばれる所定時間を必要とし、当該所定時間の間は、受光を開始してから上記の検出信号を出力することができない特性を有している。
【００３５】
また、図３に示すように、プリンタ１には、プリンタ１全体の制御を司る制御部２０が備えられている。
【００３６】
制御部２０には、ＣＰＵと、画像形成動作を制御する制御プログラム等、装置全体の動作プログラムを記憶したＲＯＭ、画像データ等を一時的に格納すると共に作業領域として機能するＲＡＭ、各種制御用パラメータの設定値を記憶する不揮発性メモリ、及びハードディスク（ＨＤＤ）等のメモリが備えられ、ＲＯＭに記憶された動作プログラムが当該ＣＰＵにより実行されることにより、装置全体の制御が行われる。
【００３７】
制御部２０には、ＢＤセンサ１０８、半導体レーザ１０１、回転多面鏡１０４の駆動源であるポリゴンモータ３２、及び感光体ドラム１４の駆動源であるドラムモータ３３が接続され、ＢＤセンサ１０８から出力される検出信号や、半導体レーザ１０１、ポリゴンモータ３２及びドラムモータ３３の駆動を制御する制御信号を入出力する図略のインタフェース回路が備えられている。
【００３８】
また、制御部２０は、光源駆動制御部２１として機能する。光源駆動制御部２１は、回転多面鏡１０４を所定の回転速度で回転させながら、感光体ドラム１４表面に形成する潜像の画像データに応じたレーザ光を当該回転と同期する所定の出射タイミングで半導体レーザ１０１に出射させるとともに、半導体レーザ１０１内部に設けられたフォトダイオードの検出信号を用いて、レーザダイオードの発光光量制御（Automatic Power Control制御、以下、ＡＰＣ制御と記す。）を行う。
【００３９】
このようにして、光源駆動制御部２１による制御の下、画像データの主走査方向（図２のＡ方向）に１ライン分の水平走査（露光）が感光体ドラム１４に対して行われる。そして、制御部２０による制御の下、感光体ドラム１４が副走査方向（図２のＢ方向）に１ライン分だけ回転され、次の画像データの主走査方向の１ラインの露光が行われることとなる。
【００４０】
尚、レーザスキャナ１１は、上記の構成に限定する趣旨ではなく、例えば、半導体レーザ１０１を複数設け、当該複数の半導体レーザ１０１から副走査方向に並行してレーザ光を出射するように構成して、主走査方向の複数ラインを並行して同時に露光するように構成してもよい。
【００４１】
以下に、反射ミラー１０６の構成について詳述する。本発明に係る反射体としての反射ミラー１０６は、例えば、図４に示すように、主走査方向の両端から中心に向かうにつれて凹み度合いが大きくなる円弧状の曲面、所謂、アナモルフィック非球面の反射面を表面に備え、走査レンズ１０５ａを透過したレーザ光のうち、感光体ドラム１４の外部に向けて偏向されたレーザ光を実線矢印方向に反射して、同期センサ１０８の受光面における斜線楕円領域に入射する。これに対して、図中の点線矩形で示すように、平らな反射面を有する反射ミラー１０６ａを配置した場合には、走査レンズ１０５ａを透過したレーザ光は点線矢印方向に反射され、同期センサ１０８の受光面における点線矩形領域に入射される。
【００４２】
つまり、反射ミラー１０６は、反射面で反射したレーザ光の同期センサ１０８の受光面におけるレーザ光の走査を主走査方向（図中の一点鎖線矢印方向）に絞り込むパワーを有している。尚、当該パワーは、反射ミラー１０６の反射面の凹み度合いの調整や反射ミラー１０６の配置位置等、反射ミラー１０６の構成によって調整される。
【００４３】
具体的には、反射面で反射したレーザ光のＢＤセンサ１０８の受光面における主走査方向の走査速度Ｖｍが、レーザ光のＢＤセンサ１０８の受光面における主走査方向の走査距離ＷｍをＢＤセンサ１０８の応答遅延時間で除算した結果よりも大きくなるように反射ミラー１０６が配置されている。
【００４４】
尚、ＢＤセンサ１０８の受光面における主走査方向の走査速度Ｖｍは、回転多面鏡１０４の回転角θに対して、回転多面鏡１０４のミラーで反射されたレーザ光がＢＤセンサ１０８に至るまでの光線経路の主走査方向の焦点距離ｆに当該回転角θを乗算した結果を、回転多面鏡１０４が回転角θだけ回転するのに要する時間ｔで除算した結果ｆ×θ／ｔとして算出される。
【００４５】
また、ＢＤセンサ１０８は、例えば、図５（ａ）に示すように、受光面に入射されるレーザ光の光量が大きい場合には、受光したレーザ光の光量に相当する電荷を時刻Ｔｔｈの時点で所定量Ｐｔｈ蓄積した場合であっても、応答遅延時間Ｔｄの経過後に当該レーザ光の受光を示す検出信号Ｌｏを出力する。つまり、図中の実線部及び一点鎖線部に示すように、受光面に入射されるレーザ光の光量が大きい場合には、光量が変動しても検出信号の出力時期に差異が生じない。
【００４６】
しかし、ＢＤセンサ１０８は、例えば、図５（ｂ）に示すように、受光面に入射されるレーザ光の光量が小さい場合には、時刻Ｔｔｈで受光したレーザ光の光量に相当する電荷を所定量Ｐｔｈ蓄積した時点で、当該レーザ光の受光を示す検出信号Ｌｏを出力する。つまり、図中の実線部及び一点鎖線部に示すように、受光面に入射されるレーザ光の光量が小さい場合には、光量の変動に伴って検出信号の出力時期に差異ΔＴが生じる。
【００４７】
そこで、本構成によれば、反射面で反射したレーザ光のＢＤセンサ１０８の受光面におけるレーザ光の主走査方向の走査速度Ｖｍが、当該レーザ光のＢＤセンサ１０８の受光面における主走査方向の走査距離ＷｍをＢＤセンサ１０８の応答遅延時間Ｔｄで除算した結果よりも大きく設定されるので、応答遅延時間Ｔｄ内に反射面で反射したレーザ光のＢＤセンサ１０８への入射が完了し、応答遅延時間Ｔｄの経過時点で検出信号がＢＤセンサ１０８から出力される。
【００４８】
このため、例えば、回転多面鏡１０４の周面のミラーの汚染や半導体レーザ１０１による光量変動等によって、反射ミラー１０６で反射したレーザ光の光量が変動した場合であっても、ＢＤセンサ１０８から応答遅延時間Ｔｄの経過時点で検出信号が出力されるため、ＢＤセンサ１０８の検出信号の出力時期にばらつきが生じることがなくなり、感光体ドラム１４への書き込み開始タイミングを調整するための同期信号を精度良く得ることができる。
【００４９】
尚、シリンダーレンズ１０７は、例えば、図６に示すように、回転多面鏡１０４で反射されたレーザ光が走査レンズ１０５ａに対して副走査方向に所定ずれ量ΔＳｂずらして入射され、走査レンズ１０５ａ、反射体１０６及びシリンダーレンズ１０７を介して、ＢＤセンサ１０８の受光面に当該レーザ光が入射される際の副走査方向のずれ量ΔＳ４７を所定ずれ量ΔＳｂで除算した結果である第一副走査倍率が、回転多面鏡１０４で反射されたレーザ光が走査レンズ１０５ａに対して副走査方向に所定ずれ量ΔＳｂずらして入射され、当該レーザ光が走査レンズ１０５ａから出射される際の副走査方向のずれ量ΔＳ４５を所定ずれ量ΔＳｂで除算した結果である第二副走査倍率よりも小さくなるように、レーザ光を副走査方向に集光させるように構成してもよい。
【００５０】
この場合、回転多面鏡１０４で反射されたレーザ光が副走査方向に所定ずれ量ΔＳｂばらつき、当該レーザ光が走査レンズ１０５ａを介することによって所定ずれ量ΔＳｂの第二副走査倍率の倍数に相当するずれ量ΔＳ４５の分副走査方向にばらついた場合であっても、当該レーザ光が反射ミラー１０６で反射され、シリンダーレンズ１０７を介してＢＤセンサ１０８の受光面に入射される際には、当該レーザ光の副走査方向のばらつきは、所定ずれ量ΔＳｂの第一副走査倍率の倍数に相当するずれ量ΔＳ４７にまで軽減される。
【００５１】
つまり、回転多面鏡１０４に入射されたレーザ光が副走査方向に所定ずれ量ΔＳｂばらついて反射された場合であっても、ＢＤセンサ１０８に入射されるレーザ光の副走査方向のばらつきは、反射ミラー１０６に入射されるレーザ光の副走査方向のばらつきよりも軽減される。したがって、本構成によれば、回転多面鏡１０４に入射されたレーザ光が副走査方向にばらつくように反射される場合に備えて、反射ミラー１０６やＢＤセンサ１０８を副走査方向に傾けて調整する手間を軽減することができる。
【００５２】
尚、本発明は上記実施形態の構成に限られず種々の変形が可能である。例えば、上記のシリンダーレンズ１０７を設けずにレーザスキャナ１１を簡略化して構成してもよい。また、上記実施形態では、本発明に係る画像形成装置の一例としてモノクロ画像形成用のプリンタ１を示したが、本発明に係る画像形成装置はこれに限られず、カラー画像形成用のカラープリンタや、スキャナ機能、ファクシミリ機能、プリンタ機能及びコピー機能等を兼ね備えた複合機であっても構わない。
【００５３】
また、上記実施形態において図１乃至図６に示した構成及び設定は単なる一例に過ぎず、本発明を当該実施形態に限定する趣旨ではない。
【符号の説明】
【００５４】
１      プリンタ（画像形成装置）
１１    レーザスキャナ（光走査装置）
１４    感光体ドラム（感光体）
２０    制御部
１０１  半導体レーザ（光源部）
１０４  回転多面鏡（偏向体）
１０５ａ，１０５ｂ  走査レンズ
１０６  反射ミラー（反射体）
１０７  シリンダーレンズ（集光レンズ）
１０８  ＢＤセンサ（同期センサ）
Ｔｄ  応答遅延時間
Ｖｍ  同期センサの受光面における主走査方向の走査速度
Ｗｍ  同期センサの受光面における主走査方向の走査距離
【図１】
2012118214.tif 000003
【図２】
2012118214.tif 000004
【図３】
2012118214.tif 000005
【図４】
2012118214.tif 000006
【図５】
2012118214.tif 000007
【図６】
2012118214.tif 000008